(57)【要約】【課題】  エレクトリックギターなどの弦楽器において、演奏に支障をきたすことなく演奏音の音質を改善することが可能な技術を提供する。【解決手段】  弦楽器用アクセサリ１は、本体部１０と取り付け部２０とを有する。本体部１０は、断面がＵ字状のブロック状の部材である。取り付け部２０は、本体部１０の内側面１２と外側面１６との間を貫通する棒状部材２２と、棒状部材２２の先端部に設けられたカバー２６と、棒状部材２２の後端部に固定された円盤状部材２４とを有する。弦楽器用アクセサリ１は、本体部１０のＵ字の内側領域に挿入された弦楽器のペグノブ３０を棒状部材２２の先端部のカバー２６と内側面１４とによって挟み込んでペグノブ３０に保持される。弦楽器用アクセサリ１の重さは３０ｇ以下である。【選択図】図１
2017156528.tif 000002
【特許請求の範囲】
【請求項１】
弦楽器のペグノブに取り付け可能な取り付け手段を有し、
錘として機能することを特徴とする弦楽器用アクセサリ。
【請求項２】
前記取り付け手段は、前記ペグノブを挟み込むことを特徴とする請求項１に記載の弦楽器用アクセサリ。
【請求項３】
前記取り付け手段は、前記ペグノブと接触する部分を覆うカバーを介して前記ペグノブを挟み込むことを特徴とする請求項２に記載の弦楽器用アクセサリ。
【請求項４】
前記取り付け手段は、前記ペグノブの概ね平らな側面の少なくとも一部を覆う本体部に前記ペグノブを挟み込むことを特徴とする請求項１に記載の弦楽器用アクセサリ。
【請求項５】
前記ペグノブの概ね平らな側面の少なくとも一部を覆う平らな外側面を有する
ことを特徴とする請求項１から４のいずれか１の請求項に記載の弦楽器用アクセサリ。
【請求項６】
前記ペグノブに取り付けられた状態において、前記弦楽器用アクセサリが取り付けられたペグノブの隣に位置する他のペグノブと干渉しないような外寸を有する
ことを特徴とする請求項１から５のいずれか１の請求項に記載の弦楽器用アクセサリ。
【発明の詳細な説明】
【技術分野】
【０００１】
この発明は、弦楽器用アクセサリに関する。
【背景技術】
【０００２】
弦楽器の一例であるエレクトリックギターでは、弦を弾いて演奏すると、弦の振動に応じてエレクトリックギター本体も振動する。このエレクトリックギター本体の振動は、弦の振動に影響を及ぼし、それがピックアップで検出されることで放音される音の音質に影響を与える。
【先行技術文献】
【特許文献】
【０００３】
【非特許文献１】“ＦＡＴＦＩＮＧＥＲＴＭ  ＧＵＩＴＡＲ”、［ｏｎｌｉｎｅ］、ＦＥＮＤＥＲ、［２０１６年３月１日検索］、インターネット＜ＵＲＬ：http://intl.fender.com/en-JP/accessories/miscellaneous/fatfinger-guitar-nickel/＞
【発明の概要】
【発明が解決しようとする課題】
【０００４】
非特許文献１には、Ｕ字状に折れ曲がった板状の錘が開示されている。この錘は、Ｕ字の内側においてエレクトリックギターのヘッドの一部を挟み込んで当該ヘッドに取り付けられる。演奏者がこの錘をヘッドにおける好みの位置に取り付けて演奏すると、当該錘が取り付けられていない通常のエレクトリックギターに比べ、エレクトリックギター本体の振動の状態が変わり、演奏音の音質（具体的にはサステイン）が改善される、と非特許文献１に記載されている。
【０００５】
しかし、エレクトリックギター本体の振動の状態の変化の程度は、当該錘の取り付けられる位置によって異なる。このため、非特許文献１の錘では、当該錘の取り付け方によってはエレクトリックギター本体の振動の状態を適切に変えることができず、演奏音の音質を改善する効果が得られないこともあり得る。
【０００６】
また、非特許文献１の錘は、重さが約１００ｇもある。エレクトリックギターの演奏者は立って演奏をすることが多いため、ヘッドが１００ｇも重くなると演奏者に負担を与える虞がある。また、ヘッドが１００ｇも重くなると、錘を取り付けていない場合に比べ、ヘッドの位置が下がった演奏姿勢になり易く、演奏性が低下する虞がある。
【０００７】
この発明は以上のような事情に鑑みてなされたものであり、エレクトリックギターなどの弦楽器において、演奏に支障をきたすことなく演奏音の音質を改善することが可能な技術を提供することを目的とする。
【課題を解決するための手段】
【０００８】
この発明は、弦楽器のペグノブに取り付け可能な取り付け手段を有し、錘として機能することを特徴とする弦楽器用アクセサリを提供する。
【０００９】
この発明の弦楽器用アクセサリは、弦楽器のペグノブに装着される。弦楽器用アクセサリがペグノブに装着されると、弦楽器用アクセサリが装着されていない通常の弦楽器に比べ、装着された弦楽器用アクセサリの重さ分だけペグノブが重くなる。このため、弦楽器用アクセサリを装着することで、通常の弦楽器に対して弦楽器本体の振動の状態を変えることができ、演奏音の音質を改善することができる。また、ペグノブが固定されている位置は、弦楽器本体の振動レベルが弦楽器本体の他の位置に比べて高い位置である。このように振動レベルが高い位置に固定されているペグノブに弦楽器用アクセサリが装着されるため、弦楽器用アクセサリの重さを非特許文献１の錘の重さほど重くしなくても、弦楽器本体の振動の状態を的確に変えることができ、演奏音の音質を的確に変えることができる。従って、本弦楽器用アクセサリを用いることで、演奏に支障をきたすことなく演奏音の音質を改善することができる。
【図面の簡単な説明】
【００１０】
【図１】この発明の第１実施形態である弦楽器用アクセサリ１の構成を示す断面図である。
【図２】弦楽器のペグノブ３０に装着された状態の弦楽器用アクセサリ１の構成を示す斜視図である。
【図３】ペグノブ３０に装着された状態のこの発明の第２実施形態である弦楽器用アクセサリ１Ａの構成を示す斜視図である。
【発明を実施するための形態】
【００１１】
以下、図面を参照し、この発明の実施形態について説明する。
＜第１実施形態＞
図１は、この発明の第１実施形態による弦楽器用アクセサリ１の構成を示す断面図である。本実施形態の弦楽器用アクセサリ１は、例えばエレクトリックギターなどの弦楽器のペグノブに装着され、錘として機能するものである。弦楽器用アクセサリ１の重さは、５ｇ〜５０ｇであり、典型的には３０ｇ以下である。
【００１２】
図２は、ペグノブ３０に装着された状態の弦楽器用アクセサリ１の構成を示す斜視図である。ペグノブ３０は、ヘッド４０に回転可能に支持されている。ペグノブ３０は、ペグノブ３０の回転に応じて回転するペグポスト（図示略）に連結されている。ペグポストには弦の一端付近が巻きつけられる。ペグノブ３０は、調弦（チューニング）の際にユーザ（演奏者）によって回転操作される。ペグノブ３０を回転操作することでペグポストが回転し、ペグポストに巻きつけられた弦の張力を変えることができるからである。ペグノブ３０は、ユーザがペグノブ３０をつまみやすいように、平らなブロック状を成している。本明細書では、ペグノブ３０における概ね平らになっている側面（換言すると、ユーザによってつままれる側面）間の距離をペグノブ３０の厚さと呼ぶ。弦楽器用アクセサリ１は、ペグノブ３０の厚さ方向にペグノブ３０を挟み込むことでペグノブ３０に保持される。
【００１３】
図１に示すように、弦楽器用アクセサリ１は、本体部１０と取り付け部２０とを有する。本体部１０は、断面がＵ字状のブロック状の部材である。本体部１０を形成する素材は、例えば金属などである。弦楽器用アクセサリ１は、本体部１０のＵ字の内側領域にペグノブ３０を挿入することができるような内寸を有する。より詳細には、本体部１０におけるＵ字の一方の内側面１２とその内側面１２に対向する内側面１４との間隔は、ペグノブ３０の厚さよりも大きくなっている。弦楽器用アクセサリ１は、ペグノブ３０に取り付けられた状態において、弦楽器用アクセサリ１が取り付けられたペグノブ３０の隣に位置する他のペグノブ３０と干渉しないような外寸を有する。例えば、内側面１２に対して反対側に位置する一方の外側面１６と、内側面１４に対して反対側に位置する他方の外側面１８との距離は、複数のペグノブ３０の設置間隔（例えば６弦用のペグノブ３０の回転中心軸と５弦用のペグノブ３０の回転中心軸との間隔）よりも小さくなっている。また、本体部１０の外側面１６および１８は平らになっている。また、本体部１０には、内側面１２と外側面１６との間を貫通する断面が円形の貫通穴１５が設けられている。
【００１４】
取り付け部２０は、ペグノブ３０に取り付け可能な取り付け手段である。弦楽器用アクセサリ１は、取り付け部２０によってペグノブ３０に取り付けられる。取り付け部２０は、円柱状の棒状部材２２、円盤状部材２４およびカバー２６を有する。
【００１５】
棒状部材２２は貫通穴１５に挿入されており、棒状部材２２の側面に施されたネジ山が貫通穴１５の周囲の壁面に施されたネジ溝に組み合わされている。棒状部材２２における内側面１２側の端部（以下、先端部という）は、本体部１０のＵ字の内側領域に配置されており、棒状部材２２における外側面１６側の端部（以下、後端部という）は、本体部１０を貫通してＵ字の外側領域に配置されている。
【００１６】
棒状部材２２の先端部には、当該先端部を覆うカバー２６が設けられている。カバー２６を形成する素材は、例えば、樹脂やゴムなどである。
【００１７】
棒状部材２２の後端部は、円盤状部材２４の一方の板面の中央に固定されている。円盤状部材２４における棒状部材２２が固定されている板面に対して反対側の板面（以下、外側面２５という）は、棒状部材２２の長手に対して垂直になっている。棒状部材２２は、円盤状部材２４の円周方向の回転に応じて棒状部材２２の長手方向に移動可能となっている。より詳細には、外側面２５を見たときの時計回り方向に円盤状部材２４が回転すると、棒状部材２２の先端部は、内側面１２から内側面１４へ向かって移動する。一方、反時計回り方向に円盤状部材２４が回転すると、棒状部材２２の先端部は、内側面１４から内側面１２へ向かって移動する。
【００１８】
弦楽器用アクセサリ１は、本体部１０におけるＵ字の内側領域に挿入されたペグノブ３０を棒状部材２２と本体部１０の内側面１４とによって挟み込むことでペグノブ３０に保持される。より詳細に説明すると、ユーザは、円盤状部材２４を反時計回り方向に回しておき、棒状部材２２の先端部と内側面１４との間にペグノブ３０を差し込むようにして弦楽器用アクセサリ１を配置し、その後、円盤状部材２４を時計回り方向に回す。これにより、ペグノブ３０の一方の概ね平らな側面が棒状部材２２の先端部のカバー２６によって押され、ペグノブ３０の他方の概ね平らな側面が内側面１４に押し付けられる。このように、弦楽器用アクセサリ１は、取り付け部２０による締め付けによってペグノブ３０に装着される。弦楽器用アクセサリ１がペグノブ３０に装着されると、ペグノブ３０の概ね平らな側面の少なくとも一部は、本体部１０によって覆われる。
【００１９】
前述のように、弦楽器本体は、弦の振動に応じて振動する。弦楽器本体の振動は、複数の振動モードの重ね合わせで表現される。ペグノブ３０は、ヘッド４０の曲げ振動またはねじり振動の振動モードの腹の位置に固定されている。つまり、ペグノブ３０の固定位置は、弦楽器本体の他の位置に比べ、弦の振動に応じた振動レベルが高くなっている位置である。弦楽器用アクセサリ１は、振動レベルが高い位置に固定されているペグノブ３０を重くするものである。
【００２０】
振動レベルが高い位置に固定されているペグノブ３０に弦楽器用アクセサリ１が装着されると、弦楽器用アクセサリ１が装着されていない通常の弦楽器に比べ、弦楽器本体の振動の周波数特性が変化する。これは、振動する物体の重さが重くなると振動の周波数が低下するからである。弦楽器本体の振動の周波数特性が変化するため、弦楽器用アクセサリ１が装着された弦楽器の演奏音の音質は、弦楽器用アクセサリ１が装着されていない通常の弦楽器の演奏音の音質から変化して改善される。
【００２１】
以上のように、振動レベルが高い位置に固定されているペグノブ３０に装着される本実施形態の弦楽器用アクセサリ１を用いれば、弦楽器用アクセサリ１の重さを非特許文献１の錘の重さほど重くしなくても、弦楽器本体の振動の状態を的確に変えることができ、演奏音の音質を的確に変えることができる。具体的には、非特許文献１の錘の重さが約１００ｇであるのに対し、弦楽器用アクセサリ１の重さは３０ｇ以下である。このため、弦楽器用アクセサリ１を用いれば、非特許文献１の錘を取り付けた弦楽器に比べて、ヘッド４０が下がった演奏姿勢になる虞が少なく演奏性が低下しない。従って、弦楽器用アクセサリ１を用いることで、演奏に支障をきたすことなく演奏音の音質を改善することができる。
【００２２】
弦楽器用アクセサリ１を装着する弦楽器がエレクトリックギターである場合、ヘッド４０には、一般的に１弦用のペグノブ３０から６弦用のペグノブ３０までの合計６個のペグノブ３０が固定されている。弦楽器用アクセサリ１によれば、１弦用のペグノブ３０から６弦用のペグノブ３０のいずれのペグノブ３０に弦楽器用アクセサリ１が装着されても演奏音の音質を改善することができる。特に、ヘッド４０における一番端に配置されるペグノブ（例えば６弦用のペグノブ）３０に装着された場合に、演奏音の音質の改善効果が大きい。また、ユーザは、弦楽器用アクセサリ１を複数個（例えば２個）準備し、１つの弦楽器用アクセサリ１を５弦用のペグノブ３０に装着し、もう１つの弦楽器用アクセサリ１を６弦用のペグノブ３０に装着するという具合に、複数のペグノブ３０の各々に弦楽器用アクセサリ１を装着するようにしても良い。
【００２３】
また、弦楽器用アクセサリ１では、ペグノブ３０の概ね平らな側面の少なくとも一部を覆う本体部１０の外側面１６および１８が平らになっており、円盤状部材２４の外側面２５が平らになっている。このため、ユーザは、円盤状部材２４の外側面２５（または本体部１０の外側面１６）と本体部１０の外側面１８との間をつまんで弦楽器用アクセサリ１およびペグノブ３０を容易に回すことができる。また、弦楽器用アクセサリ１は、隣に位置する他のペグノブ３０と干渉しないような外寸を有するため、弦楽器用アクセサリ１が装着されたペグノブ３０を回す際に弦楽器用アクセサリ１が隣のペグノブ３０に引っ掛かることはない。従って、弦楽器用アクセサリ１は、弦楽器用アクセサリ１をペグノブ３０に装着した状態における調弦操作を妨げることはない。
【００２４】
また、弦楽器用アクセサリ１では、ペグノブ３０と接触する部分を覆うカバー２６を介して棒状部材２２がペグノブ３０を押すため、棒状部材２２の先端部によってペグノブ３０が傷つけられることはない。
【００２５】
また、弦楽器用アクセサリ１は、非特許文献１の錘に比べて、サイズが小さく目立ち難いため、弦楽器用アクセサリ１が装着された弦楽器の美観を損ね難い。
【００２６】
＜第２実施形態＞
図３は、ペグノブ３０に装着された状態のこの発明の第２実施形態による弦楽器用アクセサリ１Ａの構成を示す斜視図である。本実施形態の弦楽器用アクセサリ１Ａは、本体部１０に代えて本体部１０Ａを有する点および取り付け部２０に代えて取り付け部２０Ａを有する点において第１実施形態の弦楽器用アクセサリ１と異なる。
【００２７】
本体部１０Ａは、対向して平行に配置された四角形の板状部材１０１および１０２から構成される。板状部材１０１および１０２の互いに対向する面を内側面と呼び、板状部材１０１における板状部材１０２とは反対側の面および板状部材１０２における板状部材１０１とは反対側の面を外側面と呼ぶ。板状部材１０１および１０２における外側面は、平らになっている。板状部材１０１および１０２を形成する素材は、例えば金属などである。
【００２８】
板状部材１０１と１０２とは、取り付け部２０Ａによって連結されている。より詳細には、取り付け部２０Ａは、棒状部材２０２とレバー２０４とから構成される。棒状部材２０２は、ペグノブ３０の厚さよりも長い。棒状部材２０２は、板状部材１０１の四隅のうちの１つの隅において板状部材１０１を貫通する。棒状部材２０２の一方の端部には、レバー２０４が連結されている。棒状部材２０２は、板状部材１０１に支持されており、周方向に回転することができるようになっている。レバー２０４は、ユーザによる棒状部材２０２の回転を補助するために設けられている。棒状部材２０２におけるレバー２０４側とは反対側の側面には、ネジ山が施されている。このネジ山は、板状部材１０２に施されたネジ溝に組み合わされる。棒状部材２０２が周方向に回されると、板状部材１０１および１０２は、棒状部材２０２の長手方向に相対的に平行移動する。
【００２９】
板状部材１０１には、棒状のガイド部２８が固定されている。ガイド部２８は、板状部材１０２に設けられた貫通穴に挿入される。ガイド部２８は、板状部材１０１および１０２の平行移動をガイドする。
【００３０】
ユーザは、板状部材１０１と板状部材１０２との間にペグノブ３０を差し込むようにして弦楽器用アクセサリ１Ａを配置する。そして、ユーザは、取り付け部２０Ａを回して板状部材１０１および１０２を互いに近づける。これにより、板状部材１０１の内側面がペグノブ３０の概ね平らな側面の一方側に押し付けられ、板状部材１０２の内側面がペグノブ３０の他方側に押し付けられる。このように、弦楽器用アクセサリ１Ａは、取り付け部２０Ａの締め付けによってペグノブ３０に装着される。弦楽器用アクセサリ１Ａがペグノブ３０に装着されると、ペグノブ３０の概ね平らな側面の少なくとも一部は、本体部１０Ａによって覆われる。
【００３１】
以上のように、本実施形態の取り付け部２０Ａは、ペグノブ３０の概ね平らな側面の少なくとも一部を覆う本体部１０Ａにペグノブ３０を挟み込むことで弦楽器用アクセサリ１Ａをペグノブ３０に固定する。本実施形態の弦楽器用アクセサリ１Ａは、ペグノブ３０へ取り付ける具体的な態様が第１実施形態の弦楽器用アクセサリ１と異なるが、振動レベルが高い位置に固定されているペグノブ３０に装着されて錘として機能するという点においては弦楽器用アクセサリ１と同じである。従って、本実施形態においても第１実施形態と同様の効果が得られる。
【００３２】
また、弦楽器用アクセサリ１Ａは、弦楽器用アクセサリ１と同様に、ペグノブ３０の概ね平らな側面の少なくとも一部を覆う平らな外側面を有する。このため、ユーザは、板状部材１０１の外側面と板状部材１０２の外側面との間をつまんで弦楽器用アクセサリ１Ａおよびペグノブ３０を容易に回すことができる。また、弦楽器用アクセサリ１Ａでは、取り付け部２０Ａが板状部材１０１の隅に設けられている。このため、取り付け部２０Ａは、ユーザが弦楽器用アクセサリ１Ａおよびペグノブ３０を回すのを阻害しない。また、弦楽器用アクセサリ１Ａは、ペグノブ３０に取り付けられた状態において、隣に位置する他のペグノブ３０と干渉しないような外寸を有する。従って、弦楽器用アクセサリ１Ａは、弦楽器用アクセサリ１と同様に、調弦操作を妨げることはない。
【００３３】
＜他の実施形態＞
以上、この発明の第１および第２実施形態について説明したが、この発明には他にも実施形態が考えられる。例えば次の通りである。
【００３４】
（１）第１実施形態の弦楽器用アクセサリ１は、棒状部材２２を含む取り付け部２０を有していた。しかし、弦楽器用アクセサリ１は、弦楽器のペグノブ３０に取り付け可能な取り付け手段を有していれば良く、その取り付け手段の具体的な構成は、取り付け部２０のような構成に限らない。例えば、弦楽器用アクセサリは、取り付け手段として磁石を有していても良い。この態様では、ペグノブを形成する素材が鉄などの強磁性体である場合に当該ペグノブに弦楽器用アクセサリを取り付けることができるからである。
【００３５】
（２）第１実施形態の弦楽器用アクセサリ１の本体部１０の形状は、断面がＵ字状のブロック状であった。本体部１０の形状をこのような形状にしたのは、弦楽器用アクセサリ１をペグノブ３０に挟み込んで棒状部材２２を含む取り付け部２０によって保持するのに好適だからである。しかし、本体部１０の形状は、断面がＵ字状の形状に限らない。取り付け手段の具体的な構成によっては、本体部１０の形状をこのようなＵ字状にする必要がないからである。例えば、取り付け手段として磁石を用いた場合、本体部１０は、単なるブロック状や板状にしても良い。また、本体部１０は、取り付け手段を兼ねても良い。
【００３６】
（３）第１実施形態の棒状部材２２の先端部には、カバー２６が設けられていた。しかし、カバー２６を省略して、棒状部材２２の先端部をペグノブ３０に直接に接触させるようにしても良い。ただし、カバー２６を省略すると棒状部材２２の先端部によってペグノブ３０に傷を与える可能性が増すため、棒状部材２２の先端部にカバー２６を設けるのが好ましい。また、本体部１０の内側面１４にカバー２６と同等の緩衝部材を設けても良い。この態様によれば、内側面１４によってペグノブ３０に傷を与える可能性を減らすことができる。
【００３７】
（４）弦楽器用アクセサリは、弦楽器本体の振動が音質に影響する弦楽器のペグノブに装着されるものであれば良い。このため、弦楽器用アクセサリは、実施形態で例示したエレクトリックギターに限らず、エレクトリックベースギターなどをも含む種々のエレクトリックギターに好適である。弦楽器用アクセサリは、装着されるべき弦楽器のペグノブの厚さや弦楽器本体の振動の周波数特性などを考慮して弦楽器毎に設計されるのが好ましい。また、弦楽器用アクセサリは、どの弦のペグノブに装着されるかを考慮してペグノブ毎に設計されても良い。また、弦楽器用アクセサリは、エレクトリックギターのようなボディが中実（ｓｏｌｉｄ）な構造の弦楽器のペグノブに装着されるものであるのが好ましい。ボディが中実な構造の弦楽器では、弦楽器本体の振動におけるペグノブの振動の影響が大きく、弦楽器用アクセサリをペグノブに装着したときの効果による利益が得られ易いからである。また、弦楽器用アクセサリは、アコースティックギターのようなボディが中空な構造の弦楽器のペグノブに装着されるものであっても良い。ただし、ボディが中空な構造の弦楽器では、ボディが中実な構造の弦楽器に比べ、弦楽器用アクセサリをペグノブに装着したときの効果による利益が得られ難い。ボディが中空な構造の弦楽器では、ボディが中実な構造の弦楽器に比べてペグノブの振動の影響が小さく、ペグノブの振動よりもボディにおける共鳴の方が放音される音の音質に影響を与え易いからである。
【００３８】
（５）弦楽器用アクセサリ１〜１Ａの重さが異なる複数種類の弦楽器用アクセサリ１〜１Ａを流通させても良い。
【符号の説明】
【００３９】
１，１Ａ…弦楽器用アクセサリ、１０，１０Ａ…本体部、１２，１４…内側面、１５…貫通穴、１６，１８…外側面、２０，２０Ａ…取り付け部、２２…棒状部材、２４…円盤状部材、２５…外側面、２６…カバー、２８…ガイド部、３０…ペグノブ、４０…ヘッド、１０１，１０２…板状部材、２０２…棒状部材、２０４…レバー。
【図１】
2017156528.tif 000003
【図２】
2017156528.tif 000004
【図３】
2017156528.tif 000005